(57)【要約】【課題】列車無線システムの擬似交換装置で、例えば、指令台や運転室電話機を利用するエンドユーザにも容易に利用可能とする。【解決手段】列車無線システムの擬似交換装置２４は、評価対象となる列車無線システム１に設けられる。擬似交換装置は、評価対象となる列車無線システムとは異なる他の列車無線システム２の交換装置５２の擬似的な動作を行う擬似交換手段と、他の列車無線システムの端末装置４２、５３の擬似的な動作を行う擬似端末手段３１を備える。評価対象となる列車無線システムにおいて、他の列車無線システムと非接続な状態で、擬似交換装置を用いて、評価対象となる列車無線システムの評価を可能とする。【選択図】  図１
2011135452.tif 000002
【特許請求の範囲】
【請求項１】
列車無線システムの擬似交換装置において、
評価対象となる列車無線システムに設けられ、
当該擬似交換装置は、当該評価対象となる列車無線システムとは異なる他の列車無線システムの交換装置の擬似的な動作を行う擬似交換手段と、前記他の列車無線システムの端末装置の擬似的な動作を行う擬似端末手段と、を備え、
当該評価対象となる列車無線システムにおいて、前記他の列車無線システムと非接続な状態で、当該擬似交換装置を用いて、当該評価対象となる列車無線システムの評価を可能とする、
ことを特徴とする擬似交換装置。
【発明の詳細な説明】
【技術分野】
【０００１】
本発明は、列車無線システムの擬似交換装置に関し、特に、ある列車無線システムに接続する別の列車無線システムを擬似する機能を有し、例えば、列車無線における指令台や運転室電話機を利用するエンドユーザにも容易に利用することが可能な擬似交換装置に関する。
【背景技術】
【０００２】
図１５には、新幹線の列車無線システムの構成例を示してある。
本例の列車無線システムは、例えば、ある会社（自社）の新幹線列車無線システムである自システム１０１と、他の会社（他社）の新幹線列車無線システムである他システム１０２を有している。
【０００３】
自システム１０１は、車上局（車上局装置）１１１と運転室電話機１１２を有しており、また、基地局（基地局装置）１２１、交換装置１２２、指令台１２３、ＬＣＸ（Ｌｅａｋａｇｅ  Ｃｏａｘｉａｌ  Ｃａｂｌｅ）１２４を有している。車上局１１１と基地局１２１は、ＬＣＸ１２４を介して、通信する。
他システム１０２は、車上局（車上局装置）１３１と運転室電話機１３２を有しており、また、基地局（基地局装置）１４１、交換装置１４２、指令台１４３、ＬＣＸ１４４を有している。車上局１３１と基地局１４１は、ＬＣＸ１４４を介して、通信する。
【０００４】
本例の列車無線システムでは、他システム向け機能の確認を行うことができる。
本例の構成では、自システム１０１は、交換装置１２２、１４２経由で他システム１０２と接続しており、他システム１０２と連動する機能の確認を実施するためには、他システム１０２において端末（例えば、運転室電話機１３２）を操作する者が必要であり、自システム１０１のみで試験を行うことが不可能であった。
【先行技術文献】
【特許文献】
【０００５】
【特許文献１】特開２００４−３２８３１１号公報
【特許文献２】特開平３−１６７４４３号公報
【発明の概要】
【発明が解決しようとする課題】
【０００６】
上記したような列車無線システムに関し、例えば、他システムの交換機能を擬似してプロトコル制御をシミュレートする装置を使用することが考えられる。しかしながら、プロトコル制御をシミュレートする装置では、その利用者がプロトコルを理解しているユーザに限定されてしまい、例えば、列車無線における指令台や運転室電話機を利用するエンドユーザにはわからないものとなっており、利用することが困難であった。
【０００７】
本発明は、このような従来の事情に鑑み為されたもので、ある列車無線システムに接続する別の列車無線システムを擬似する機能を有し、例えば、列車無線における指令台や運転室電話機を利用するエンドユーザにも容易に利用することが可能な擬似交換装置を提供することを目的とする。
【課題を解決するための手段】
【０００８】
上記目的を達成するため、本発明では、列車無線システムの擬似交換装置において、次のような構成とした。
すなわち、擬似交換装置は、評価対象となる列車無線システムに設けられる。
当該擬似交換装置では、擬似交換手段が、当該評価対象となる列車無線システムとは異なる他の列車無線システムの交換装置の擬似的な動作を行い、また、擬似端末手段が、前記他の列車無線システムの端末装置の擬似的な動作を行う。
これにより、当該評価対象となる列車無線システムにおいて、前記他の列車無線システムと非接続な状態（接続されていない状態）で、当該擬似交換装置を用いて、当該評価対象となる列車無線システムの評価を可能とする。
【０００９】
従って、擬似交換装置が、ある列車無線システム（評価対象となる列車無線システム）に接続する別の列車無線システムの交換装置の動作や端末装置の動作を擬似する機能を有しており、例えば、列車無線における端末装置（例えば、指令台や運転室電話機）を利用するエンドユーザにも容易に利用することが可能である。
【００１０】
ここで、評価対象の列車無線システムや他の列車無線システムとしては、それぞれ、種々なものが用いられてもよい。
また、列車無線システムの評価としては、種々なものが行われてもよく、例えば、設定（例えば、設定した内容を通知）、通知（例えば、通知された内容を表示）、通信、通信に関する復旧、割り込み、などの処理の評価が行われてもよい。
【００１１】
また、擬似交換装置の擬似交換手段は、例えば、評価対象となる列車無線システムの交換装置とのプロトコル制御の動作を擬似的に行う機能を有する。
また、擬似交換装置の擬似端末手段は、例えば、端末装置に関する情報を画面に表示して、それを見たユーザがキーボードやマウス等の操作部を操作することにより、他の列車無線システムの端末装置の擬似的な動作を行うような機能を用いて構成することができる。
また、端末装置としては、種々な通信装置が用いられてもよく、例えば、電話機や、指令台（統制台）などを用いることができる。
【発明の効果】
【００１２】
以上説明したように、本発明によると、擬似交換装置が、ある列車無線システム（評価対象となる列車無線システム）に接続する別の列車無線システムの交換装置の動作や端末装置の動作を擬似する機能を有しており、例えば、列車無線における端末装置（例えば、指令台や運転室電話機）を利用するエンドユーザにも容易に利用することが可能である。
【図面の簡単な説明】
【００１３】
【図１】本発明の一実施例に係る列車無線システムの構成例を示す図である。
【図２】擬似列車無線システムの構成例を示す図である。
【図３】システムＡの状態表示処理のシーケンスの一例を示す図である。
【図４】システムＢの状態設定処理のシーケンスの一例を示す図である。
【図５】システムＡの指令台Ａ−ｂから発信してシステムＢの移動局Ｂ−ａを呼び出す処理のシーケンスの一例を示す図である。
【図６】システムＢの指令台Ｂ−ｂから発信してシステムＡの移動局Ａ−ａを呼び出す処理のシーケンスの一例を示す図である。
【図７】システムＡの移動局Ａ−ａから発信してシステムＢの指令台Ｂ−ｂを呼び出す処理のシーケンスの一例を示す図である。
【図８】システムＢの移動局Ｂ−ａから発信してシステムＡの指令台Ａ−ｂを呼び出す処理のシーケンスの一例を示す図である。
【図９】システムＡの指令台Ａ−ｂとシステムＢの移動局Ｂ−ａとが通話中であるときに指令台Ａ−ｂにより復旧する処理のシーケンスの一例を示す図である。
【図１０】システムＡの移動局Ａ−ａとシステムＢの指令台Ｂ−ｂとが通話中であるときに指令台Ｂ−ｂにより復旧する処理のシーケンスの一例を示す図である。
【図１１】システムＡの指令台Ａ−ｂとシステムＢの移動局Ｂ−ａとが通話中であるときに移動局Ｂ−ａにより復旧する処理のシーケンスの一例を示す図である。
【図１２】システムＡの移動局Ａ−ａとシステムＢの指令台Ｂ−ｂとが通話中であるときに移動局Ａ−ａにより復旧する処理のシーケンスの一例を示す図である。
【図１３】システムＡの指令台Ａ−ｂがシステムＢ内の通話に割り込む処理のシーケンスの一例を示す図である。
【図１４】システムＢの指令台Ｂ−ｂがシステムＡ内の通話に割り込む処理のシーケンスの一例を示す図である。
【図１５】列車無線システムの構成例を示す図である。
【発明を実施するための形態】
【００１４】
本発明に係る実施例を図面を参照して説明する。
図１には、本発明の一実施例に係る新幹線の列車無線システムの構成例を示してある。
本例の列車無線システムは、例えば、ある会社（自社）の新幹線列車無線システムである自システム１と、他の会社（他社）の新幹線列車無線システムである他システム２を有している。
【００１５】
自システム１は、車上局（車上局装置）１１と運転室電話機１２を有しており、また、基地局（基地局装置）２１、交換装置２２、指令台２３、端末シミュレータ３１を備えた擬似交換装置２４、回線切替器２５、ＬＣＸ２６を有している。車上局１１と基地局２１は、ＬＣＸ２６を介して、通信する。
ここで、本例では、車上局１１や運転室電話機１２は列車（本例では、新幹線）に設けられ、基地局２１、交換装置２２、指令台２３、擬似交換装置２４、回線切替器２５、ＬＣＸ２６は地上に設けられる。
また、例えば、運転室電話機１２と指令台２３は、車上局１１、基地局２１、交換装置２２を介して、通信することが可能である。
【００１６】
他システム２は、車上局（車上局装置）４１と運転室電話機４２を有しており、また、基地局（基地局装置）５１、交換装置５２、指令台５３、ＬＣＸ５４を有している。車上局４１と基地局５１は、ＬＣＸ５４を介して、通信する。
ここで、本例では、車上局４１や運転室電話機４２は列車（本例では、新幹線）に設けられ、基地局５１、交換装置５２、指令台５３、ＬＣＸ５４は地上に設けられる。
また、例えば、運転室電話機４２と指令台５３は、車上局４１、基地局５１、交換装置５２を介して、通信することが可能である。
【００１７】
本例の列車無線システムでは、他システム向け機能の確認を行うことができる。
本例では、自システム１の回線切替器２５の接続状態を切り替えることにより、自システム１の交換装置２２と他システム２の交換装置５２とを接続することで他システム向け機能の確認を可能とする状態（例えば、図１５に示される従来例と同様な接続状態）と、自システム１の交換装置２２と擬似交換装置２４とを接続することで擬似交換装置２４により他システム向け機能の確認を可能とする状態とを切り替えることができる。
【００１８】
このように、本例では、擬似交換装置２４は、車上装局１１や基地局２１や交換装置２２や指令台２３を有する自システム１に含まれる。自システム１には、同様な構成（擬似交換装置２４及び回線切替器２５を除いた構成）を有する他システム２が接続されており、他システム２は自システム１とは全く異なる場所に設置されている。
【００１９】
自システム１の車上局１１の運転室には電話機（運転室電話機）１２が設置されており、運転室電話機１２により自システム１の指令台２３及び他システム２の指令台５３と通信（例えば、通話）することが可能である。
同様に、他システム２の車上局４１の運転室には電話機（運転室電話機）４２が設置されており、運転室電話機４２により他システム２の指令台５３及び自システム１の指令台２３と通信（例えば、通話）することが可能である。
【００２０】
自システム１では、車上局１１と基地局２１との間では無線伝送され、基地局２１と交換装置２２との間では有線伝送される。
同様に、他システム２では、車上局４１と基地局５１との間では無線伝送され、基地局５１と交換装置５２との間では有線伝送される。
自システム１では、交換装置２２には指令台２３が接続されており、交換装置２２は指令台２３と運転室電話機１２、４２との交換制御を行っている。
同様に、他システム２では、交換装置５２には指令台５３が接続されており、交換装置５２は指令台５３と運転室電話機４２、１２との交換制御を行っている。
また、自システム１と他システム２との間では、本例では回線切替器２５を介して、交換装置２２と交換装置５２との間で、有線伝送される。
【００２１】
本例では、他システム２を擬似する装置として、擬似交換装置２４を有している。
擬似交換装置２４は、交換装置２２とのプロトコル制御を擬似する機能を備えるとともに、他システム２の指令台５３及び運転室電話機４２を擬似する端末シミュレータ３１を備えており、例えば、指令台及び運転室電話機の操作と同様にして、他システム２と連動する機能を確認することを可能とする。
【００２２】
以下で、本例の擬似交換装置２４について、詳しく説明する。
図２には、擬似列車無線システムの構成例を示してある。
本例の擬似列車無線システムは、評価対象装置となる自システム（本例では、図１に示される自システム１であり、擬似交換装置２４は除いた構成部分）に相当するシステムＡ（６１）と、他のシステム（本例では、図１に示される他システム２）の擬似となる列車無線交換機の擬似交換装置（本例では、図１に示される擬似交換装置２４）に相当するシステムＢ（６２）を有している。
【００２３】
システムＢは、装置内の機能ブロックとして、通信制御部７１、システムＡ状態表示部７２、システムＢ状態設定部７３、擬似移動局操作・表示部７４、擬似指令台操作・表示部７５を備えている。
なお、システムＡ状態表示部７２、システムＢ状態設定部７３、擬似移動局操作・表示部７４、擬似指令台操作・表示部７５から、画面制御部８１が構成されている。
また、各種の設定や操作は、例えば、ユーザ（人）がキーボードやマウス等を操作することにより行われ、或いは、予め設定された処理手順（プロトコル）に従って装置により自動的に行われる。
【００２４】
通信制御部７１は、システムＡと例えばＬＡＮ（Ｌｏｃａｌ  Ａｒｅａ  Ｎｅｔｗｏｒｋ）の回線を介して通信し、呼の制御を行う。
システムＡ状態表示部７２は、システムＡの管轄エリア内における在線列車や無線チャネル（ＣＨ）使用状況などの状態を例えばパーソナルコンピュータ（ＰＣ）の画面に表示する。
システムＢ状態設定部７３は、システムＢの管轄エリア内における在線列車や無線チャネル（ＣＨ）使用状況などの状態を例えばパーソナルコンピュータ（ＰＣ）の画面により擬似的に設定し、その情報を通信制御部７１を経由してシステムＡへ送信する。
【００２５】
擬似移動局操作・表示部７４は、１台若しくは複数台の移動局（本例では、運転室電話機）を擬似的に作成し、例えばパーソナルコンピュータ（ＰＣ）の画面により発着信の操作を行う。
擬似指令台操作・表示部７５は、１台若しくは複数台の指令台を擬似的に作成し、例えばパーソナルコンピュータ（ＰＣ）の画面により発着信の操作を行う。
【００２６】
図３〜図１４を参照して、擬似交換装置（システムＢ）を用いて試験を行う際に、システムＡとシステムＢとの間で行われる装置間の信号のやり取りのシーケンスの例を示す。
なお、本例で示す各シーケンスは一例であり、各々について異なるシーケンスが用いられてもよく、また、本例で示す一部のシーケンスが使用されない（例えば、使用できない）ような構成が用いられてもよく、本例で示すもの以外のシーケンスが使用される（例えば、使用できる）ような構成が用いられてもよい。
【００２７】
本例では、システムＡに属する移動局（本例では、図１に示される運転室電話機１２）を移動局Ａ−ａと示し、システムＡに属する指令台（本例では、図１に示される指令台２３）を指令台Ａ−ｂと示し、システムＢに属する擬似移動局（本例では、図１に示される運転室電話機４２の擬似となるもの）を移動局Ｂ−ａと示し、システムＢに属する擬似指令台（本例では、図１に示される指令台５３の擬似となるもの）を指令台Ｂ−ｂと示す。
【００２８】
図３には、システムＡの状態表示処理のシーケンスの一例を示してある。
本例では、システムＡの状態をシステムＢで表示する。
具体的には、システムＡの状態を表す情報が、システムＡからシステムＢの通信制御部７１を経由して、システムＢのシステムＡ状態表示部７２により受信されて画面に表示される。
【００２９】
図４には、システムＢの状態設定処理のシーケンスの一例を示してある。
本例では、システムＢの状態を設定して、システムＡへ送信する。
具体的には、例えばユーザの操作によりシステムＢのシステムＢ状態設定部７３により設定された状態を表す情報が、システムＢの通信制御部７１を経由して、システムＡへ送信される。システムＡでは、受信したシステムＢの状態を表す情報を画面に表示する。
【００３０】
図５には、システムＡの指令台Ａ−ｂから発信してシステムＢの移動局Ｂ−ａを呼び出す処理のシーケンスの一例を示してある。
本例では、システムＡの指令台Ａ−ｂから、システムＢの移動局Ｂ−ａを呼び出す。
具体的には、例えばユーザによりシステムＡの指令台Ａ−ｂで移動局Ｂ−ａの呼出操作が行われると、呼出の信号がシステムＢの通信制御部７１を経由してシステムＢの擬似移動局操作・表示部７４により受信されて、画面に移動局Ｂ−ａの着信の表示が為される。
また、例えばユーザによりシステムＢの擬似移動局操作・表示部７４で移動局Ｂ−ａの応答操作が行われると、応答の信号がシステムＢの通信制御部７１を経由してシステムＡの指令台Ａ−ｂにより受信されて、画面に通話中の表示が為される。
【００３１】
図６には、システムＢの指令台Ｂ−ｂから発信してシステムＡの移動局Ａ−ａを呼び出す処理のシーケンスの一例を示してある。
本例では、システムＢの指令台Ｂ−ｂからシステムＡの移動局Ａ−ａを呼び出す。
具体的には、例えばユーザによりシステムＢの擬似指令台操作・表示部７５で指令台Ｂ−ｂによる移動局Ａ−ａの呼出操作が行われると、呼出の信号がシステムＢの通信制御部７１を経由してシステムＡの移動局Ａ−ａにより受信されて、画面に着信の表示が為される。
また、例えばユーザによりシステムＡの移動局Ａ−ａで応答操作が行われると、応答の信号がシステムＢの通信制御部７１を経由してシステムＢの擬似指令台操作・表示部７５により受信されて、画面に指令台Ｂ−ｂの通話中の表示が為される。
【００３２】
図７には、システムＡの移動局Ａ−ａから発信してシステムＢの指令台Ｂ−ｂを呼び出す処理のシーケンスの一例を示してある。
本例では、システムＡの移動局Ａ−ａからの発信に、システムＢの指令台Ｂ−ｂが応答する。
具体的には、例えばユーザによりシステムＡの移動局Ａ−ａで指令台Ｂ−ｂの呼出操作が行われると、呼出の信号がシステムＢの通信制御部７１を経由してシステムＢの擬似指令台操作・表示部７５により受信されて、画面に指令台Ｂ−ｂの着信の表示が為される。
また、例えばユーザによりシステムＢの擬似指令台操作・表示部７５で指令台Ｂ−ｂの応答操作が行われると、応答の信号がシステムＢの通信制御部７１を経由してシステムＡの移動局Ａ−ａにより受信されて、画面に通話中の表示が為される。
【００３３】
図８には、システムＢの移動局Ｂ−ａから発信してシステムＡの指令台Ａ−ｂを呼び出す処理のシーケンスの一例を示す図である。
本例では、システムＢの移動局Ｂ−ａからの発信に、システムＡの指令台Ａ−ｂが応答する。
具体的には、例えばユーザによりシステムＢの擬似移動局操作・表示部７４で移動局Ｂ−ａによる指令台Ａ−ｂの呼出操作が行われると、呼出の信号がシステムＢの通信制御部７１を経由してシステムＡの指令台Ａ−ｂにより受信されて、画面に着信の表示が為される。
また、例えばユーザによりシステムＡの指令台Ａ−ｂで応答操作が行われると、応答の信号がシステムＢの通信制御部７１を経由してシステムＢの擬似移動局操作・表示部７４により受信されて、画面に移動局Ｂ−ａの通話中の表示が為される。
【００３４】
図９には、システムＡの指令台Ａ−ｂとシステムＢの移動局Ｂ−ａとが通話中であるときに、指令台Ａ−ｂにより復旧する処理のシーケンスの一例を示してある。
本例では、システムＡの指令台Ａ−ｂとシステムＢの移動局Ｂ−ａとが通話中であるときに、指令台Ａ−ｂにより復旧する。
具体的には、システムＡの指令台Ａ−ｂとシステムＢの移動局Ｂ−ａとが通話中であるときに、例えばユーザにより指令台Ａ−ｂで復旧操作が行われると、復旧の信号がシステムＢの通信制御部７１を経由してシステムＢの擬似移動局操作・表示部７４により受信されて、画面に移動局Ｂ−ａの復旧の表示が為される。
【００３５】
図１０には、システムＡの移動局Ａ−ａとシステムＢの指令台Ｂ−ｂとが通話中であるときに、指令台Ｂ−ｂにより復旧する処理のシーケンスの一例を示してある。
本例では、システムＡの移動局Ａ−ａとシステムＢの指令台Ｂ−ｂとが通話中であるときに、指令台Ｂ−ｂにより復旧する。
具体的には、システムＡの移動局Ａ−ａとシステムＢの指令台Ｂ−ｂとが通話中であるときに、例えばユーザによりシステムＢの擬似指令台操作・表示部７５で指令台Ｂ−ｂによる復旧操作が行われると、復旧の信号がシステムＢの通信制御部７１を経由してシステムＡの移動局Ａ−ａにより受信されて、画面に移動局Ａ−ａの復旧の表示が為される。
【００３６】
図１１には、システムＡの指令台Ａ−ｂとシステムＢの移動局Ｂ−ａとが通話中であるときに、移動局Ｂ−ａにより復旧する処理のシーケンスの一例を示してある。
本例では、システムＡの指令台Ａ−ｂとシステムＢの移動局Ｂ−ａとが通話中であるときに、移動局Ｂ−ａにより復旧する。
具体的には、システムＡの指令台Ａ−ｂとシステムＢの移動局Ｂ−ａとが通話中であるときに、例えばユーザによりシステムＢの擬似移動局操作・表示部７４で移動局Ｂ−ａによる復旧操作が行われると、復旧の信号がシステムＢの通信制御部７１を経由してシステムＡの指令台Ａ−ｂにより受信されて、画面に指令台Ａ−ｂの復旧の表示が為される。
【００３７】
図１２には、システムＡの移動局Ａ−ａとシステムＢの指令台Ｂ−ｂとが通話中であるときに、移動局Ａ−ａにより復旧する処理のシーケンスの一例を示してある。
本例では、システムＡの移動局Ａ−ａとシステムＢの指令台Ｂ−ｂとが通話中であるときに、移動局Ａ−ａにより復旧する。
具体的には、システムＡの移動局Ａ−ａとシステムＢの指令台Ｂ−ｂとが通話中であるときに、例えばユーザによりシステムＡの移動局Ａ−ａで復旧操作が行われると、復旧の信号がシステムＢの通信制御部７１を経由してシステムＢの擬似指令台操作・表示部７５により受信されて、画面に指令台Ｂ−ｂの復旧の表示が為される。
【００３８】
図１３には、システムＡの指令台Ａ−ｂがシステムＢ内の通話に割り込む処理のシーケンスの一例を示してある。
本例では、システムＡの指令台Ａ−ｂがシステムＢの通話に割り込む。
具体的には、例えばユーザによりシステムＡの指令台Ａ−ｂで割込操作が行われると、割り込みの信号がシステムＢの通信制御部７１へ送信される。
【００３９】
図１４には、システムＢの指令台Ｂ−ｂがシステムＡ内の通話に割り込む処理のシーケンスの一例を示してある。
本例では、システムＢの指令台Ｂ−ｂがシステムＡの通話に割り込む。
具体的には、例えばユーザによりシステムＢの擬似指令台操作・表示部７５で指令台Ｂ−ｂによる割込操作が行われると、割り込みの信号がシステムＢの通信制御部７１を経由してシステムＡへ送信される。
【００４０】
以上のように、本例では、中央指令所（本例では、指令台２３、５３）と車上局運転電話（本例では、運転室電話機１２、４２）とを接続する回線を有する列車無線システムにおいて、自システム１内の交換装置２２に接続される他システム２の交換機能（本例では、交換装置５２の機能）を擬似する装置（本例では、擬似交換装置２６）を備えた。
【００４１】
具体例として、ＪＲ東日本とＪＲ東海のように異なるシステム同士が接続される必要がある場合には、自システムの通信試験を行う必要があるが、試験の度に他システムの交換装置を利用することはできないため、試験実施のために対策を取る必要があった。そこで、本例では、他システムの交換装置の機能を擬似する擬似交換装置を自システムに設け、他システムとは別個にシステム試験を可能とした。
【００４２】
従って、本例では、例えば、自システム１において他システム２と連動する機能の確認を行う場合に、環境が自システム１内で閉じていることから、他システム２に対応者が不在であっても、確認を実施することが可能である。
また、本例では、擬似交換装置２４に端末シミュレータ３１が内蔵されているため、例えば、ユーザはプロトコルを意識することなく、指令台及び運転室電話機の操作と同様な操作により、他システム２と連動する機能の確認を行うことが可能である。
【００４３】
なお、本例では、図１に示される自システム１（図２に示されるシステムＡ）が評価対象となる列車無線システムであり、図１に示される他システム２が他の列車無線システムである。また、本例では、図１に示される擬似交換装置２４（図２に示されるシステムＢ）において、図１に示される他システム２の交換装置５２の擬似的な動作を行う機能（例えば、図２に示される通信制御部７１の機能）により擬似交換手段が構成されており、図１に示される他システム２の端末装置（運転室電話機４２、指令台５３）の擬似的な動作を行う端末シミュレータ３１の機能（図２に示される画面制御部８１の機能）により擬似端末手段が構成されている。
【００４４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４５】
１、１０１・・自システム、  ２、１０２・・他システム、  １１、４１、１１１、１３１・・車上局（車上局装置）、  １２、４２、１１２、１３２・・運転室電話機、  ２１、５１、１２１、１４１・・基地局（基地局装置）、  ２２、５２、１２２、１４２・・交換装置、  ２３、５３、１２３、１４３・・指令台、  ２４・・擬似交換装置、  ２５・・回線切替器、  ２６、５４、１２４、１４４・・ＬＣＸ、  ３１・・端末シミュレータ、
６１・・システムＡ（自システム）、  ６２・・システムＢ（擬似交換装置）、  ７１・・通信制御部、  ７２・・システムＡ状態表示部、  ７３・・システムＢ状態設定部、  ７４・・擬似移動局操作・表示部、  ７５・・擬似指令台操作・表示部、  ８１・・画面制御部、
【図１】
2011135452.tif 000003
【図２】
2011135452.tif 000004
【図３】
2011135452.tif 000005
【図４】
2011135452.tif 000006
【図５】
2011135452.tif 000007
【図６】
2011135452.tif 000008
【図７】
2011135452.tif 000009
【図８】
2011135452.tif 000010
【図９】
2011135452.tif 000011
【図１０】
2011135452.tif 000012
【図１１】
2011135452.tif 000013
【図１２】
2011135452.tif 000014
【図１３】
2011135452.tif 000015
【図１４】
2011135452.tif 000016
【図１５】
2011135452.tif 000017